(57)【要約】【課題】グランド板をハウジングと一体成形すること等によって、コネクタの強度を強化した光電気複合型コネクタを提供することを目的とする。【解決手段】相手コネクタの嵌合部に嵌め込まれることによって相手コネクタと嵌合して光電気変換装置を構成する光電気複合型コネクタである。グランド板と一体成形されたハウジングを有し、ハウジングから露出させたグランド板の一部に切欠を設けてロック孔を形成している。相手コネクタの嵌合部に光電気複合型コネクタが嵌め込まれたときに、嵌合部に設けた弾性突出部を光電気複合型コネクタのロック孔と係合させて、光電気複合変換装置と相手コネクタの嵌合をロックする。【選択図】図２
2010267513.tif 000002
【特許請求の範囲】
【請求項１】
相手コネクタの嵌合部に嵌め込まれることによって前記相手コネクタと嵌合して光電気変換装置を構成する光電気複合型コネクタにおいて、
グランド板と一体成形されたハウジングを有し、前記ハウジングから露出させた前記グランド板の一部にロック部を形成し、
前記相手コネクタの嵌合部に前記光電気複合型コネクタが嵌め込まれたときに、前記嵌合部に設けた対応ロック部を前記光電気複合型コネクタのロック部と係合させて、前記光電気複合変換装置と前記相手コネクタの嵌合をロックすることを特徴とすると光電気複合型コネクタ。
【請求項２】
前記ロック部は、前記ハウジングから露出させた前記グランド板の一部に切欠を設けることによってロック孔として形成され、前記対応ロック部は、弾性突出部として形成されている、請求項１に記載の光電気複合型コネクタ。
【請求項３】
前記弾性突出部は前記相手コネクタのシェルの一部として形成され、前記光電気複合型コネクタと前記相手コネクタの嵌合時に、前記弾性突出部を前記ロック孔と接触させて、前記グランド板と前記シェルを電気的に接続する請求項２に記載の光電気複合型コネクタ。
【請求項４】
前記ロック孔を形成する前記グランド板の一部は、前記光電気複合型コネクタと前記相手コネクタの嵌合時に、前記ロック孔よりも前記嵌合部に接近した側に位置付けられ、前記弾性突出部を前記ロック孔と係合させる前に、前記弾性突出部を前記一部と接触させて、前記グランド板と前記シェルを電気的に接続させる請求項２又は３に記載の光電気複合型コネクタ。
【請求項５】
前記光電気複合型コネクタは、前記嵌合部に前記光電気複合型コネクタが嵌め込まれたときであっても前記嵌合部の外部に突出し得る突出部を、前記光電気複合型コネクタの長手方向における一端、或いは、その近傍に有し、前記突出部は、前記グランド板と一体成形された前記ハウジングを利用して前記グランド板の一部を含んだ状態で形成されており、前記突出部を前記嵌合部から引き離すように移動させることにより、前記光電気複合型コネクタの長手方向における他端を中心に、前記嵌合部に嵌め込まれた前記光電気複合型コネクタを前記嵌合部にて回動させ、この回動を利用して前記光電気複合型コネクタを前記嵌合部から取り外すことができる請求項１乃至４のいずれかに記載の光電気複合型コネクタ。
【請求項６】
前記回動の方向とは逆方向において鋭角を成すように傾斜したテーパー面を前記他端に設けて前記回動の中心点をずらしている請求項５に記載の光電気複合型コネクタ。
【請求項７】
前記グランド板の一部を前記ハウジングから露出させ、該露出部に前記光電気複合型コネクタの構成部品を配置している請求項１乃至６のいずれかに記載の光電気複合型コネクタ。
【請求項８】
前記グランド板を立ち上げて前記構成部品を外部から遮蔽する壁を設けている請求項７のいずれかに記載の光電気複合型コネクタ。
【請求項９】
前記複数の端子のうちの幾つかはグランド端子として使用され、前記ハウジングから露出した前記グランド板の一部と直接接触している請求項１乃至８のいずれかに記載の光電気複合型コネクタ。
【請求項１０】
前記光電気複合型コネクタを前記相手コネクタと嵌合させる際、グランド端子が信号端子よりも先に接触し得るように配置されている請求項１乃至９のいずれかに記載の光電気複合型コネクタ。
【発明の詳細な説明】
【技術分野】
【０００１】
本発明は、光電気複合型コネクタに関する。
【背景技術】
【０００２】
従来の光電気複合型コネクタの一例が特開２００７年３２８０１８号公報に開示されている。図１１に、ここに開示された光電気複合型コネクタ１００の中心線横断面図を示す。
【０００３】
コネクタ１００は、互いに上下方向にて嵌合可能なプラグ側コネクタ（光モジュール側コネクタ）１２０とレセプタクル側コネクタ１８０の対から成る。レセプタクル側コネクタ１８０は、マザーボード１１０に実装され、この実装されたレセプタクル側コネクタ１８０にプラグ側コネクタ１２０が嵌合される。
【０００４】
プラグ側コネクタ１２０は、マザーボード１１０上に実装されたハウジングの外部を覆うシェル１３０を備える。シェル１３０の内部には、光モジュール１５０やモジュール基板１５７等の様々な部品が備えられている。シェル１３０は、全体として略長方形状のハウジングを成形した後、その側面周囲１１７においては密着状態で筒状に、その前方部においては非密着状態で、外部から覆うように取り付けられる。
【０００５】
シェル１３０は、外部衝撃からシェル内の部品を保護する他、電気シールド、更に言えば、グランド板としても機能する。シェル１３０のいずれかの部分はグランドに接続されており、シェル１３０を通じてプラグ側コネクタ１２０、更に言えば、コネクタ１００をグランド接続するものとしてある。
【０００６】
しかしながら、この従来例のように、ハウジングの成形後にグランド板を実装すると、組立時間や手間が大きくなり、製造コストも増加する。また、グランド板を成形後に実装すると、強度面としても弱いものとなることが多い。
【先行技術文献】
【特許文献】
【０００７】
【特許文献１】特開２００７年３２８０１８号公報
【発明の概要】
【発明が解決しようとする課題】
【０００８】
本願発明は、このような従来技術における問題点を解決するためになされたものであり、グランド板をハウジングと一体成形すること等によって、コネクタの強度を強化した光電気複合型コネクタを提供することを目的とする。
【課題を解決するための手段】
【０００９】
本発明は、相手コネクタの嵌合部に嵌め込まれることによって前記相手コネクタと嵌合して光電気変換装置を構成する光電気複合型コネクタにおいて、グランド板と一体成形されたハウジングを有し、前記ハウジングから露出させた前記グランド板の一部にロック部を形成し、前記相手コネクタの嵌合部に前記光電気複合型コネクタが嵌め込まれたときに、前記嵌合部に設けた対応ロック部を前記光電気複合型コネクタのロック部と係合させて、前記光電気複合変換装置と前記相手コネクタの嵌合をロックする光電気複合型コネクタを特徴とする。
【００１０】
上記コネクタにおいて、前記ロック部は、前記ハウジングから露出させた前記グランド板の一部に切欠を設けることによってロック孔として形成され、前記対応ロック部は、弾性突出部として形成されていてもよい。
また、前記弾性突出部は前記相手コネクタのシェルの一部として形成され、前記光電気複合型コネクタと前記相手コネクタの嵌合時に、前記弾性突出部を前記ロック孔と接触させて、前記グランド板と前記シェルを電気的に接続することができる。
【００１１】
また、上記コネクタにおいて、前記ロック孔を形成する前記グランド板の一部は、前記光電気複合型コネクタと前記相手コネクタの嵌合時に、前記ロック孔よりも前記嵌合部に接近した側に位置付けられ、前記弾性突出部を前記ロック孔と係合させる前に、前記弾性突出部を前記一部と接触させて、前記グランド板と前記シェルを電気的に接続させることができる。
【００１２】
上記コネクタにおいて、前記光電気複合型コネクタは、前記嵌合部に前記光電気複合型コネクタが嵌め込まれたときであっても前記嵌合部の外部に突出し得る突出部を、前記光電気複合型コネクタの長手方向における一端、或いは、その近傍に有し、前記突出部は、前記グランド板と一体成形された前記ハウジングを利用して前記グランド板の一部を含んだ状態で形成されており、前記突出部を前記嵌合部から引き離すように移動させることにより、前記光電気複合型コネクタの長手方向における他端を中心に、前記嵌合部に嵌め込まれた前記光電気複合型コネクタを前記嵌合部にて回動させ、この回動を利用して前記光電気複合型コネクタを前記嵌合部から取り外すことができる。
また、上記コネクタにおいて、前記回動の方向とは逆方向において鋭角を成すように傾斜したテーパー面を前記他端に設けて前記回動の中心点をずらすのが好ましい。
更に、上記コネクタにおいて、前記グランド板の一部を前記ハウジングから露出させ、該露出部に前記光電気複合型コネクタの構成部品を配置してもよい。
更に、上記コネクタにおいて、前記グランド板を立ち上げて前記構成部品を外部から遮蔽する壁を設けることもできる。
【００１３】
また、上記コネクタにおいて、前記複数の端子のうちの幾つかはグランド端子として使用され、前記ハウジングから露出した前記グランド板の一部と直接接触していてもよい。
また、上記コネクタにおいて、前記光電気複合型コネクタを前記相手コネクタと嵌合させる際、グランド端子が信号端子よりも先に接触し得るように配置されていてもよい。
【発明の効果】
【００１４】
本願発明によれば、コネクタの強度を強化することができ、また、組立時間の短縮化等を図ることができる。
【図面の簡単な説明】
【００１５】
【図１】本願発明による光電気変換装置の使用例であって、レセプタクルコネクタとプラグコネクタの嵌合後の状態を示す斜視図である。
【図２】本願発明による光電気変換装置の使用例であって、レセプタクルコネクタとプラグコネクタの嵌合前の状態を示す斜視図である。
【図３】嵌合側から見たプラグコネクタの平面図である。
【図４】嵌合側からみたプラグコネクタの斜視図である。
【図５】グランド板の上面斜視図である。
【図６】グランド板と一体成形されたプラグハウジングの上面斜視図を、プラグ端子を取り付ける前の状態で示した図である。
【図７】グランド板と一体成形されたプラグハウジングの上面斜視図を、プラグ端子を取り付けた後の状態で示した図である。
【図８】つまみの働きを説明する図である。
【図９】他端にテーパー面が設けられていない構造を示す図である。
【図１０】サブマウントの形成方法を説明する図である。
【図１１】従来技術による光電気複合型コネクタの中心線横断面図である。
【発明を実施するための形態】
【００１６】
添付図面を参照しつつ、本願発明の好適な実施形態を以下に説明する。
図１、図２に、本願発明の一つの実施形態による光電気変換装置１０の使用例を示す。光電気変換装置１０は、互いに嵌合され得るレセプタクルコネクタ２０（相手コネクタ）とプラグコネクタ（光電気複合型コネクタ）３０の対から成る。図１は、嵌合後の状態、図２は、嵌合前の状態を、それぞれ示す。プラグコネクタ３０は、レセプタクル２０の凹状の嵌合部２３に嵌め込んで使用する。プラグコネクタ３０とレセプタクルコネクタ２０は互いに嵌合されて初めて、１つの光電気変換装置１０として形成され得る。
【００１７】
プラグコネクタ３０は、図示のように、光ファイバケーブル１２を介して互いに接続されてもよい。また、特に図示していないが、光ファイバケーブル１２の一端にのみプラグコネクタ３０を設け、他端を装置に接続してもよい。レセプタクルコネクタ２０は、これと異なり、配線基板等（図示していない）に固定して使用する。
【００１８】
レセプタクルコネクタ２０は、一般的な電気コネクタと考えてよい。一方、プラグコネクタ３０は、様々な光電気交換部品を備えることによって、電気・光変換機能（送信機能と捉えることもできる）を発揮することもできるし、光・電気変換機能（受信機能と捉えることもできる）を発揮することもできる。例えば、レセプタクルコネクタ２０とプラグコネクタ３０の嵌合時には、プラグコネクタ３０に設けた光電気変換部品の働きによって、光ファイバケーブル１２を通じて伝達された光信号を電気信号に変換した後に、配線基板に伝達することもできるし、逆に、配線基板を通じて伝達された電気信号を光信号に変換した後に、光ファイバケーブル１２に伝達することもできる。
【００１９】
レセプタクルコネクタ２０は、枠状のレセプタクルハウジング２１と、これに設置される複数のレセプタクル端子８４、更に、レセプタクルハウジング２１の外部を覆うレセプタクルシェル２７を有する。図示のように、レセプタクルハウジング２１を枠状として、プラグコネクタ３０を嵌め込む嵌合部２３を形成してもよい嵌合部２３の底部は、レセプタクルコネクタ２０自体によって形成されてもよいし、図示のように、レセプタクルコネクタ２０を固定する配線基板等によって形成されてもよい。
【００２０】
レセプタクル端子８４は、レセプタクルハウジング２１に圧入固定される。レセプタクル端子８４には、グランド端子（Ｇ）８５と信号端子（Ｓ）８６の２種類の端子が含まれる。これら２種類の端子８５、８６は、長手方向に並行に延びるレセプタクルハウジング２１の側壁部２９のそれぞれに、先端側からＧＳＧＳＳＳＧの順に、嵌合部２３の外側面と上面の双方を取り巻くように配置され、それらの端部は配線基板に半田付けされる。ただし、グランド端子８５や信号端子８６の数は任意である。これらグランド端子８５及び信号端子８６は各々、それらの一部８７において嵌合部２３に突出し、プラグコネクタ３０が嵌合部２３に嵌め込まれた際、プラグコネクタ３０側の対応端子（プラグ端子３４）と接続され得る。
【００２１】
レセプタクルシェル２７は、レセプタクルハウジング２１の側面の略全体と、その上面の一部を覆う。レセプタクルシェル２７は、圧入部分２４をレセプタクルハウジング２１に圧入等することによって、レセプタクルハウジング２１に固定されている。圧入部分２４の先端付近には、プラグコネクタ３０側のロック部６５に対応して設けた対応ロック部が、例えば、嵌合部２３に突出する弾性突出部２２として形成されており、レセプタクルコネクタ２０の嵌合部２３にプラグコネクタ３０が嵌め込まれた際、この弾性突出部２２がプラグコネクタ３０側のロック部６５と係合して、プラグコネクタ３０とレセプタクルコネクタ２０の嵌合をロックする。
【００２２】
レセプタクルハウジング２１やレセプタクルハウジング２１の外部を覆うレセプタクルシェル２７は、レセプタクル端子８４の固定位置との関係で外部に延出されている。例えば、レセプタクル端子８４の圧入位置は、レセプタクルハウジング２１の上面２５よりも深い位置に設定され、また、レセプタクルシェル２７の上面２８は、レセプタクル端子８４よりも一段高く設定されている。このような構成とすることにより、レセプタクル端子８４をレセプタクルハウジング２１やレセプタクルシェル２７の内側に位置付け、レセプタクル端子８４が外部に出っ張らない構造とし、レセプタクルコネクタ２０に触れたときでも、グランドであるレセプタクルシェル２７にだけ触れるようにして、特に信号端子８６の外部接触が効果的に防止されている。尚、レセプタクルハウジング２１のこのような構成は、レセプタクル端子８４自体を保護する他、レセプタクルコネクタ２０とプラグコネクタ３０の嵌合時に、プラグコネクタ３０に設けたプラグ端子３４の外部接触を防止する利点もある。
【００２３】
プラグコネクタ３０は、プラグハウジング３１と、これに設置される複数のプラグ端子３４、更に、プラグハウジング３１と一体成形されるグランド板６０を有する。図３に、レセプタクルコネクタ２０とプラグコネクタ３０の嵌合側から見たプラグコネクタ３０の平面図を、図４に、その斜視図を、それぞれ示す。更に、図５に、グランド板６０だけの上面斜視図を、図６に、グランド板と一体成形されたプラグハウジングの上面斜視図をプラグ端子を取り付ける前の状態で、図７に、グランド板と一体成形されたプラグハウジングの上面斜視図をプラグ端子を取り付けた後の状態で、それぞれ示す。
【００２４】
プラグ端子３４は、グランド端子８５と同様に、グランド端子（Ｇ）３５と信号端子（Ｓ）３６の２種類の端子を含む。これら２種類の端子は、プラグハウジング３１の先端側からＧＳＧＳＳＳＧの順に配列される。このようにグランド端子３５を信号端子３６よりも先端側に配置することにより、例えば、先端側から位置決めを行うような方法でレセプタクルコネクタ２０の嵌合部２３にプラグコネクタ３０を嵌め込んだときは（通常の取り付け方法と考えられる）、信号端子３６よりも先にグランド端子３５をレセプタクルコネクタ２０側のグランド端子８５と接触させることができ、雑音等が信号端子３６に与える影響を少なくすることができる。尚、グランド端子や信号端子の数は、レセプタクル端子と同様、任意である。
【００２５】
プラグ端子３４は、圧入端子として、プラグハウジング３１に圧入固定される。プラグハウジング３１とグランド板６０を一体成形した後、プラグ端子３４をプラグハウジング３１に圧入するとしたことにより、一体成形の際にかかる熱や金型との接触による悪影響を無視することができる。レセプタクルコネクタ２０とプラグコネクタ３０の嵌合の際、プラグ端子３４は、レセプタクル端子８４と、対応端子同士で接続される。これらプラグ端子３４やレセプタクル端子８４は、プラグハウジング３１やレセプタクルハウジング２１の長手方向に沿って配列されていることから、嵌合時には、それらの長手方向に沿って複数の端子間接続が生じることになる。
【００２６】
プラグハウジング３１は、全体として略直方形状であるが、プラグ端子３４の固定位置との関係で外部に延出されている。言い換えれば、図７等に示すように、プラグ端子３４の圧入位置は、プラグハウジング３１の外側面７３や上面７４よりも深い位置に設定されている。例えば、プラグハウジング３１の上面７４は、プラグ端子３４同士の間に設けた壁３２を利用してプラグ端子３４よりも一段高く設定されており、また、プラグハウジング３１の外側面７３は、壁３２を利用してプラグ端子３４よりも外部に突出した状態とされている。このような構成とすることにより、プラグ端子３４をプラグハウジング３１の内側に位置付け、プラグ端子３４が外部に出っ張らない構造とし、プラグコネクタ３０に触れたときでも、プラグ端子３４には触れることがないようにして、特に信号端子３６の外部接触が効果的に防止されている。信号端子３６に指等が触れた場合には、静電気で内部チップを破損させる危険があるが、このような構成とすれば、危険を効果的に取り除くことができる。
【００２７】
プラグハウジング３１は、レセプタクルコネクタ２０との嵌合側に２つの凹部、即ち、第一の凹部４６と第二の凹部４７を有する。これら２つの凹部４６、４７に、様々な構成部品を配置して、装置の小型化を図っている。これらの凹部４６、４７は、長手方向に並行に延びる２つの側壁部４９や、グランド板６０と一体成形された底部或いはグランド板６０の露出部を利用して形成されている。更に、これらの凹部４６、４７は、プラグハウジング３１の一部等によって形成された仕切り３９によって互いに仕切られ、異なるタイプの樹脂によって封止される。
【００２８】
第一の凹部４６には、半導体レーザー或いはフォトダイオードのような面発光型の光半導体（ＶＣＳＥＬ）４３や、光半導体４３を前面に支持するためのサブマウント４４のような、光信号と電気信号の間で変換を行う光電気変換部品、或いは、光ファイバケーブル１２のような、光信号を伝送する光部品（これらの光学関連部品を「第一のタイプの構成部品」と呼ぶ）が配置される。この第一の凹部４６は、紫外線（ＵＶ）硬化樹脂（第一の樹脂）をそこに流し込むことによって封止される。第一の凹部４６を封止する樹脂として紫外線硬化樹脂を用いることとしたのは、第一の構成部品については、短時間に精度よく固定するのが好ましいからである。
【００２９】
第二の凹部４７には、ＩＣパッド５１や離れた端子への配線を可能にする信号中継部品５２のような電気信号だけを処理する電気部品（この電気部品を「第二のタイプの構成部品」と呼ぶ）が配置される。信号中継部品５２は、少なくとも一面にインピーダンス整合した伝送経路５４を有し、伝送経路５４の端部には、金属ワイヤー５３の一端が結線され、金属ワイヤー５３の他端はコネクタ端子３６やＩＣパッド５１に接続される。第二の凹部４７は、これらの電気部品を配置した後であって、好ましくは、紫外線硬化樹脂で第一の凹部４６を封止した後に、熱硬化樹脂（第二の樹脂）をそこに流し込むことによって封止される。第二の凹部４７を封止する樹脂として熱硬化樹脂５８を用いることとしたのは、当該箇所に紫外線硬化樹脂を適用した場合には、光線が届かない部品（例えば、金属ワイヤー５３やその他電気部品）の影部は樹脂が未硬化となるが、熱硬化樹脂を適用することにより、未硬化部が無くなり、製品の信頼性が向上するからである。
【００３０】
グランド板６０は、図５に示すように予め所定の形状に折り曲げた状態で、プラグハウジング３１と一体成形される。成形後のプラグハウジング３１にグランド板６０を実装すると、組立時間もコストもかかり、強度面でも不利になる。一体成形することにより、このような問題は解消される。但し、一体成形後も、グランド板６０の一部は、プラグハウジング３１から露出した状態とする。露出部には、例えば、グランド板６０の底部６２の一部や、先端側上面に設けたグランド端子接触部６４、後端側側面に設けたロック部６５が含まれる。
【００３１】
底部６２の一部を露出させることとしたのは、光半導体４３やサブマウント４４等の実装を容易にするためである。実装部分を金属とすることにより、構成部品をリフロー等によって半田実装できる。構成部品からの電磁波の外部漏洩を防ぐため、グランド板６０の中央付近で一部両側側面を垂直に立ち上げて壁６３（図５参照）を形成してもよい。但し、これらの壁６３は、プラグハウジング３１によって完全に覆われており、外部には露出させていない。
【００３２】
グランド板６０の一部を上方で折返すことによって、グランド端子接触部６４が形成されている。グランド端子接触部６４を露出させることにより、プラグコネクタ３０のグランド端子３５を直接接触させることができるようにして、グランド板６０とグランド端子３５の導通を容易にすることができる。
【００３３】
更に、ロック部６５やその周辺付近でグランド板６０を露出させ、ロック部を金属で形成してもよい。これにより、ロックを強化し、加えて、グランド機能を強化することができる。ロック部６５は、例えば、光ファイバケーブル１２、特に、そのファイバ素線１４の配置付近で、グランド板６０の一部両側側面を垂直に立ち上げることによって形成され得る。尚、ロック部６５の上部は強度を保つため、或いは、弾性突出部２２との衝突を和らげて嵌合をスムーズにする等のため、半円筒状に折り曲げておくのが好ましい。ロック部６５の底部付近には、レセプタクルコネクタ２０側の対応ロック部２２に対応して、例えば、グランド板６０の一部に切欠を設けることによりロック孔６７を形成する。レセプタクルコネクタ２０の嵌合部２３にプラグコネクタ３０を嵌め込んだ際、このロック孔６７にレセプタクルコネクタ２０の弾性突出部２２を係合させて、プラグコネクタ３０とレセプタクルコネクタ２０の嵌合をロックすることができる。尚、この構成によれば、抜去力を強化し、ロック時にクリック感を持たせることもできる。更に、この構成では、ロック時に、レセプタクルシェル２７の一部である弾性突出部２２と、グランド板６０の一部であるロック孔６７等が直接接触するため、プラグコネクタ３０のグランド板６０とレセプタクルコネクタ２０のレセプタクルシェル２７を嵌合時に電気的に接触させて、グランド機能を強化することができる。尚、嵌合側に位置付けられたロック孔６７の頂上部７０、即ち、半円筒状の頂上付近は、プラグコネクタ３０とレセプタクルコネクタ２０の嵌合時に、ロック孔６７よりもレセプタクルコネクタ２０の嵌合部２３に接近した側に位置付けられていることから、レセプタクルコネクタ２０の弾性突出部２２とプラグコネクタ３０のロック孔６７を係合させる前、更に言えば、プラグ端子３４とレセプタクル端子８４を接触させる前に、弾性突出部２２と頂上部７０を接触させることにより、グランド板６０とシェル２７を電気的に接続させて、グランド機能をより確実に発揮させることもできる。
【００３４】
プラグコネクタ３０（グランド板６０）の長手方向における一端、例えば、プラグコネクタ３０の後端、或いは、その近傍に、レセプタクルコネクタ２０とプラグコネクタ３０の嵌合の解除時等に使用するツマミ３７を設けてもよい。図５等から明らかなように、ツマミ３７は、グランド板６０と一体成形されたプラグハウジング３１を利用してグランド板６０の一部を含んだ状態で形成されており、金属によって内部が補強されている。図８を参照して、ツマミ３７の働きを説明する。図８の（ａ）に示すように、ツマミ３７は、レセプタクルコネクタ２０の嵌合部２３にプラグコネクタ３０が嵌め込まれたときであっても、嵌合部２３の外部に突出し得る。（ｂ）に示すように、ツマミ３７に指や工具（ドライバ）等を引っ掛ける等して、図示矢印「ア」方向に力を加えることによって、言い換えれば、ツマミ３７を嵌合部２３から引き離すように移動させることによって、嵌合部２３に嵌め込まれたプラグコネクタ３０は、プラグコネクタ３０（グランド板６０）の長手方向における他端、ここでは、プラグコネクタ３０の前端を中心に、嵌合部２３にて図示矢印「イ」方向に回動し、この結果、プラグコネクタ３０とレセプタクルコネクタ２０の端子間接続等に抗して、プラグコネクタ３０は、レセプタクルコネクタ２０の嵌合部２３から取り外される。尚、上述したように、ツマミ３７は内部補強されているため、この操作によって、ツマミ３７が破損する危険はほとんどない。
【００３５】
回動時における問題を解消するため、プラグコネクタ３０の回動部分に、回動方向（図示矢印「ア」方向）とは逆方向において鋭角「α」を成すように傾斜したテーパー面３３を設けてもよい。テーパー面３３を設けることによる効果を説明するため、図９にテーパー面が設けられていない構造を図８に対応して示している。尚、図９において、図８に対応する部材には同一の参照番号を用い、その後に「Ａ」を付している。
【００３６】
上述した通り、プラグ端子３４同士、或いは、プラグ端子３４Ａ同士を仕切る壁３２、３２Ａは、プラグ端子３４やプラグ端子３４Ａとの関係で外部に延出されている。この結果、レセプタクルコネクタ２０とプラグコネクタ３０、或いは、レセプタクルコネクタ２０Ａとプラグコネクタ３０Ａの嵌合時には、レセプタクル端子の接点部（図２の８７に相当する部分）は、これらの壁３２、３２Ａの隙間に入り込んだ状態とされている。このような状態で、プラグコネクタを回動させると、図９に示すようにテーパー面が設けられていない状態では、プラグハウジング３１Ａが、５６Ａを中心に回動してしまい、この結果、レセプタクル端子の接点部の位置が、プラグ端子３４Ａの固定位置との関係でプラグコネクタ３０Ａやレセプタクルコネクタ２０Ａの長手方向にずれ、６９Ａに示すような摺動痕（接点部の軌跡）を形成することになる。明らかなように、このような軌跡を描く摺動痕６９Ａは、壁３２Ａに衝突するものであり、このような回動方法では、接点部と壁３２Ａが干渉してレセプタクル端子８４Ａや壁３２Ａが破壊されてしまうおそれがある。これに対し、図８に示すようにテーパー面３３を設けた場合には、プラグハウジング３１の回動の中心点５６は下方にずれるため、接点部がプラグ端子３４から大きくずれることはなく、接点部は、プラグ端子３４との接触位置において常にきれいな円弧状の軌跡、即ち、摺動痕６９を描く。この結果、摺動痕６９によってレセプタクル端子８４を変形させる等のおそれをなくすことができる。尚、摺動痕６９が、より適切な軌跡を描くことができるように、接点部が配置される位置は、レセプタクル端子８４の厚み方向における略中間地点、換言すれば、図示「ａ」と「ａ’」の長さが等しい位置が好ましい。
【００３７】
最後に、図１０を参照して、サブマウント４４の形成方法を説明する。図１０の（ａ）に示すように、先ず、スリット９０ｂが形成されたウェハー９０ａの上面全体と当該スリット９０ｂの内壁面に金メッキ（図示網掛け部）を施し、各サブマウント４４につき、上面から側面にわたって十字にスリット９３、９４を設ける。これにより、上面９１ａ及び９１ｂのそれぞれに金メッキが残され、また、側面９２ａ及び上面９１ｄに互いに導通された状態で金メッキが残され、同様に、側面９２ｂ及び上面９１ｃに互いに導通された状態で金メッキが残される。また、スリット９３、９４により、上面９１ａ〜ｄはそれぞれ絶縁され、更に、側面９２ａ、ｂはそれぞれ絶縁される。その後、図１０の（ｂ）に示すように、ウェハー９０ａをサブマウント４４に切り分けるとともに、その向きを変えることなく、各サブマウント４４の上側部分９１ｄに光半導体４３を、側面９２ａ及び上面９１ｄと導通させた状態で載せ、つまり、上方から実装し、更に、図１０の（ｃ）に示すように、光半導体４３の所定部分をサブマウント４４の所定部分、即ち、側面９２ｂ及び上面９１ｃと導通させるようにワイヤボンディングする。これらの作業がすべて完了した後に、各サブマウント４４を、図１０の（ｄ）に示すように、１回だけ、図示矢印「ウ」方向に９０度回転させて、プラグコネクタ３０の所定位置（グランド板６０）に配置（実装）する。配置後、面９２ａ、ｂは、ＩＣパッド５１（図４等参照）とワイヤボンディングにより接続され、面９１ａ、ｂは配置されるグランド板６０（図４等参照）と半田等によりグランド接続される。この方法により、サブマウントの回転は１回で済み、製造工程の削減となる。
【産業上の利用可能性】
【００３８】
本願発明は、光と電気を混合して使用する通信に幅広く用いることができる。
【符号の説明】
【００３９】
１０  光電気複合型コネクタ
２０  レセプタクルコネクタ
２１  レセプタクルハウジング
２２  弾性突出部
２７  レセプタクルシェル
３０  プラグコネクタ
３１  プラグハウジング
３４  プラグ端子
３５  グランド端子
３６  信号端子
３７  ツマミ
３８  凹形状
３９  仕切り
４２  端子配列部
４４  サブマウント
４６  第一の凹部
４７  第二の凹部
６０  グランド板
８４  レセプタクル端子（第２端子）
８５  グランド端子
８６  信号端子
【図１】
2010267513.tif 000003
【図２】
2010267513.tif 000004
【図３】
2010267513.tif 000005
【図４】
2010267513.tif 000006
【図５】
2010267513.tif 000007
【図６】
2010267513.tif 000008
【図７】
2010267513.tif 000009
【図８】
2010267513.tif 000010
【図９】
2010267513.tif 000011
【図１０】
2010267513.tif 000012
【図１１】
2010267513.tif 000013